(57)【要約】【課題】できる限り低コストで電流プログラム方式における充放電不足を映像信号処理によって補償する有機ＥＬパネル用映像信号処理装置及び有機ＥＬパネルを提供する。【解決手段】本発明に係る有機ＥＬパネル用映像信号処理装置は、遅延回路と、映像信号補正回路とを備える。遅延回路は、現在のライン映像信号を入力し、その現在のライン映像信号よりも１ライン前のライン映像信号を出力する。映像信号補正回路は、現在のライン映像信号と１ライン前のライン映像信号とを入力し、出力映像信号を生成して出力する。また、映像信号補正回路は、現在のライン映像信号に対して、１ライン前のライン映像信号に基づいて、電流プログラム方式により階調制御を行う表示装置の電流プログラム期間に寄生容量の充放電のために生じる過渡的なプログラム電流値の変化を利用して最適な階調表示のための映像信号補正を行い、出力映像信号を生成して出力する。【選択図】図１
2007219342.tif 000002
【特許請求の範囲】
【請求項１】
現在のライン映像信号を入力し、その現在のライン映像信号よりも１ライン前のライン映像信号を出力する遅延回路と、
前記現在のライン映像信号と前記１ライン前のライン映像信号とを入力し、出力映像信号を生成して出力する映像信号補正回路とを備えた有機ＥＬパネル用映像信号処理装置であって、
前記映像信号補正回路は、前記現在のライン映像信号に対して、前記１ライン前のライン映像信号に基づいて、電流プログラム方式により階調制御を行う表示装置の電流プログラム期間に寄生容量の充放電のために生じる過渡的なプログラム電流値の変化を利用して最適な階調表示のための映像信号補正を行い、出力映像信号を生成して出力することを特徴とする有機ＥＬパネル用映像信号処理装置。
【請求項２】
前記現在のライン映像信号と前記１ライン前のライン映像信号とを入力し、電圧プリチャージ機能付きの前記表示装置においてプリチャージを行うか否かを示すプリチャージ制御信号を生成して出力するプリチャージ制御信号発生回路をさらに備え、
前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電圧プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする請求項１記載の有機ＥＬパネル用映像信号処理装置。
【請求項３】
前記現在のライン映像信号と前記１ライン前のライン映像信号とを入力し、電流プリチャージ機能付きの前記表示装置においてプリチャージを行うか否かを示すプリチャージ制御信号を生成して出力するプリチャージ制御信号発生回路をさらに備え、
前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電流プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする請求項１記載の有機ＥＬパネル用映像信号処理装置。
【請求項４】
請求項３記載の有機ＥＬパネル用映像信号処理装置と、
電流プログラム用及び電流プリチャージ用を兼ねる１つの電流源を有する、電流プログラム方式により階調制御を行う電流プリチャージ機能付きの表示装置とを備えたことを特徴とする有機ＥＬパネル。
【請求項５】
水平垂直同期信号を入力し、前記現在のライン映像信号が毎フレームで始めに表示される第１ラインであるか否かを示す表示期間第１ライン判別信号を出力する表示期間第１ライン判別回路をさらに備え、
前記映像信号補正回路は、前記表示期間第１ライン判別信号をさらに入力し、前記現在のライン映像信号に対して、前記１ライン前のライン映像信号及び前記表示期間第１ライン判別信号に基づいて、電流プログラム方式により階調制御を行う前記表示装置の電流プログラム期間に寄生容量の充放電のために生じる過渡的なプログラム電流値の変化を利用して最適な階調表示のための映像信号補正を行い、出力映像信号を生成して出力することを特徴とする請求項１記載の有機ＥＬパネル用映像信号処理装置。
【請求項６】
前記映像信号補正回路は、前記表示期間第１ライン判別信号に応じて、前記現在のライン映像信号と前記１ライン前のライン映像信号とを用いて映像信号補正を行うか、前記現在のライン映像信号のみを用いて映像信号補正を行うかを決定することを特徴とする請求項５記載の有機ＥＬパネル用映像信号処理装置。
【請求項７】
水平垂直同期信号を入力し、前記現在のライン映像信号が毎フレームで始めに表示される第１ラインであるか否かを示す表示期間第１ライン判別信号を出力する表示期間第１ライン判別回路と、
前記現在のライン映像信号と前記１ライン前のライン映像信号と前記表示期間第１ライン判別信号とを入力し、電圧プリチャージ機能付きの前記表示装置においてプリチャージを行うか否かを示すプリチャージ制御信号を生成して出力するプリチャージ制御信号発生回路と、をさらに備え、
前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電圧プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする請求項１記載の有機ＥＬパネル用映像信号処理装置。
【請求項８】
水平垂直同期信号を入力し、前記現在のライン映像信号が毎フレームで始めに表示される第１ラインであるか否かを示す表示期間第１ライン判別信号を出力する表示期間第１ライン判別回路と、
前記現在のライン映像信号と前記１ライン前のライン映像信号と前記表示期間第１ライン判別信号を入力し、電流プリチャージ機能付きの前記表示装置においてプリチャージを行うか否かを示すプリチャージ制御信号を生成して出力するプリチャージ制御信号発生回路と、をさらに備え、
前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電流プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする請求項１記載の有機ＥＬパネル用映像信号処理装置。
【請求項９】
前記映像信号補正回路は、前記プリチャージ制御信号に応じて、前記現在のライン映像信号と前記１ライン前のライン映像信号を用いて映像信号補正を行うか、前記現在のライン映像信号のみを用いて映像信号補正を行うかを決定することを特徴とする請求項７又は８記載の有機ＥＬパネル用映像信号処理装置。
【発明の詳細な説明】
【技術分野】
【０００１】
本発明は、有機ＥＬ（エレクトロ・ルミネッセンス）パネル用映像信号処理装置及び有機ＥＬパネルに関する。特に、カレントコピア方式等の電流プログラム方式を用いる有機ＥＬパネル用映像信号処理装置及び有機ＥＬパネルに関する。
【背景技術】
【０００２】
近年、有機ＥＬディスプレイが実用化されつつある。有機ＥＬディスプレイは、従来の液晶ディスプレイに較べてコントラスト比が高く、斜めから見ても画質が低下せず、低消費電力で薄型化が容易である。
【０００３】
アクティブタイプの表示装置においては、走査期間中に与えられる電圧又は電流を保持する電圧プログラム方式又は電流プログラム方式が用いられる。電流量により階調表示を行う有機ＥＬ（エレクトロ・ルミネッセンス）パネル等の表示装置では、電圧プログラム方式を用いる場合、画素毎に設けられたトランジスタによって電圧電流変換を行うので、このトランジスタの特性のばらつきに起因して駆動電流にばらつきが発生し、輝度むらが生じる可能性があった。このため、電流量により階調表示を行う表示装置では、プログラム電流値に対して駆動電流値が一意に定まるように設計された電流プログラム回路による電流プログラム方式を用いることが有効である。
【０００４】
電流プログラム方式を用いた表示装置では、現在のライン映像信号に応じたプログラム電流値と現在のライン映像信号よりも１ライン前のライン映像信号に応じたプログラム電流値との差が大きく、かつソース信号線へ注入される電流が小さい場合、１走査期間以内の限られた時間ではソース信号線の寄生容量に蓄えられた電荷の充放電が十分に行えない場合がある。そのような場合、走査期間内で所望の階調に応じたプログラム電流値まで到達できず、従って、所望の階調表現ができない。また、十分な充放電に要する時間は、ソース信号線へ注入される電流量だけでなく、充放電の電荷量にも依存する。従来のプリチャージ法による技術では、１走査期間以内に２つ以上のシーケンスを実行可能とし、電流プログラム期間に先んじてプリチャージ期間を設けるように構成し、そのことによって、短時間に充放電を行うものであった。
【０００５】
このようなプリチャージ法には、電圧プリチャージ方式と、電圧電流複合プリチャージ方式とがある。電圧プリチャージ方式は、プリチャージ期間に所望の階調に応じたプリチャージ電圧を印加していた。従来の電圧電流複合プリチャージ方式は、プリチャージ期間を２つ以上のシーケンスに分け、最低輝度階調に相当するプリチャージ電圧を印加する電圧プリチャージ期間の後に、所望の階調に応じたプログラム電流値より大きなプリチャージ電流を加える電流プリチャージ期間を設けていた。
【０００６】
【特許文献１】特開昭２００５−３７８４４号公報。
【特許文献２】特開昭２００５−１８１４６１号公報。
【特許文献３】特開昭２００５−１８９４９７号公報。
【発明の開示】
【発明が解決しようとする課題】
【０００７】
しかしながら、上記従来の技術では、表示装置側にプログラム用電圧源及びプリチャージ用電圧源の２つの電圧源、及び、プリチャージ期間とプログラム期間とを切り替えるための機構を必要とする。このことは、表示装置のコスト増加を引き起こすという問題があった。
【０００８】
また、上記従来の技術では、電流プログラム回路の電流−電圧特性のばらつきに起因して、電圧プリチャージによって充放電された寄生容量の電圧値と所望の階調に応じたプログラム電流値を得るときに必要となる寄生容量の電圧値との間に差が生じる。そのため、この差が大きい場合には、電流プログラム期間で充放電のために必要な時間が確保できず充放電不足が起こり、表示装置において輝度むらが生じるという問題があった。
【０００９】
本発明の目的は上記問題を解決し、できる限り低コストで電流プログラム方式における充放電不足を映像信号処理によって補償する有機ＥＬパネル用映像信号処理装置及び有機ＥＬパネルを提供することである。
【課題を解決するための手段】
【００１０】
第１の発明に係る有機ＥＬパネル用映像信号処理装置は、現在のライン映像信号を入力し、その現在のライン映像信号よりも１ライン前のライン映像信号を出力する遅延回路と、前記現在のライン映像信号と前記１ライン前のライン映像信号とを入力し、出力映像信号を生成して出力する映像信号補正回路とを備えた有機ＥＬパネル用映像信号処理装置であって、前記映像信号補正回路は、前記現在のライン映像信号に対して、前記１ライン前のライン映像信号に基づいて、電流プログラム方式により階調制御を行う表示装置の電流プログラム期間に寄生容量の充放電のために生じる過渡的なプログラム電流値の変化を利用して最適な階調表示のための映像信号補正を行い、出力映像信号を生成して出力することを特徴とする。
【００１１】
第２の発明に係る有機ＥＬパネル用映像信号処理装置は、上記第１の発明に係る有機ＥＬパネル用映像信号処理装置において、前記現在のライン映像信号と前記１ライン前のライン映像信号とを入力し、電圧プリチャージ機能付きの前記表示装置においてプリチャージを行うか否かを示すプリチャージ制御信号を生成して出力するプリチャージ制御信号発生回路をさらに備え、前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電圧プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする。
【００１２】
第３の発明に係る有機ＥＬパネル用映像信号処理装置は、上記第１の発明に係る有機ＥＬパネル用映像信号処理装置において、前記現在のライン映像信号と前記１ライン前のライン映像信号とを入力し、電流プリチャージ機能付きの前記表示装置においてプリチャージを行うか否かを示すプリチャージ制御信号を生成して出力するプリチャージ制御信号発生回路をさらに備え、前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電流プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする。
【００１３】
第４の発明に係る有機ＥＬパネルは、上記第３の発明に係る有機ＥＬパネル用映像信号処理装置と、電流プログラム用及び電流プリチャージ用を兼ねる１つの電流源を有する、電流プログラム方式により階調制御を行う電流プリチャージ機能付きの表示装置とを備えたことを特徴とする。
【００１４】
第５の発明に係る有機ＥＬパネル用映像信号処理装置は、上記第１の発明に係る有機ＥＬパネル用映像信号処理装置において、水平垂直同期信号を入力し、前記現在のライン映像信号が毎フレームで始めに表示される第１ラインであるか否かを示す表示期間第１ライン判別信号を出力する表示期間第１ライン判別回路をさらに備え、前記映像信号補正回路は、前記表示期間第１ライン判別信号をさらに入力し、前記現在のライン映像信号に対して、前記１ライン前のライン映像信号及び前記表示期間第１ライン判別信号に基づいて、電流プログラム方式により階調制御を行う前記表示装置の電流プログラム期間に寄生容量の充放電のために生じる過渡的なプログラム電流値の変化を利用して最適な階調表示のための映像信号補正を行い、出力映像信号を生成して出力することを特徴とする。
【００１５】
第６の発明に係る有機ＥＬパネル用映像信号処理装置は、上記第５の発明に係る有機ＥＬパネル用映像信号処理装置において、前記映像信号補正回路は、前記表示期間第１ライン判別信号に応じて、前記現在のライン映像信号と前記１ライン前のライン映像信号とを用いて映像信号補正を行うか、前記現在のライン映像信号のみを用いて映像信号補正を行うかを決定することを特徴とする。
【００１６】
第７の発明に係る有機ＥＬパネル用映像信号処理装置は、上記第１の発明に係る有機ＥＬパネル用映像信号処理装置において、水平垂直同期信号を入力し、前記現在のライン映像信号が毎フレームで始めに表示される第１ラインであるか否かを示す表示期間第１ライン判別信号を出力する表示期間第１ライン判別回路と、前記現在のライン映像信号と前記１ライン前のライン映像信号と前記表示期間第１ライン判別信号とを入力し、電圧プリチャージ機能付きの前記表示装置においてプリチャージを行うか否かを示すプリチャージ制御信号を生成して出力するプリチャージ制御信号発生回路と、をさらに備え、前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電圧プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする。
【００１７】
第８の発明に係る有機ＥＬパネル用映像信号処理装置は、上記第１の発明に係る有機ＥＬパネル用映像信号処理装置において、水平垂直同期信号を入力し、前記現在のライン映像信号が毎フレームで始めに表示される第１ラインであるか否かを示す表示期間第１ライン判別信号を出力する表示期間第１ライン判別回路と、前記現在のライン映像信号と前記１ライン前のライン映像信号と前記表示期間第１ライン判別信号を入力し、電流プリチャージ機能付きの前記表示装置においてプリチャージを行うか否かを示すプリチャージ制御信号を生成して出力するプリチャージ制御信号発生回路と、をさらに備え、前記映像信号補正回路は、前記プリチャージ制御信号をさらに入力し、前記現在のライン映像信号に対して、前記１ライン前のライン映像信号及び前記プリチャージ制御信号に基づいて、電流プログラム方式により階調制御を行う電流プリチャージ機能付きの前記表示装置の電流プログラム期間に寄生容量の充放電のために生じる過渡的なプログラム電流値の変化を利用して最適な階調表示のための映像信号補正を行い、出力映像信号を生成して出力することを特徴とする。
【００１８】
第９の発明に係る有機ＥＬパネル用映像信号処理装置は、上記第７又は第８の発明に係る有機ＥＬパネル用映像信号処理装置において、前記映像信号補正回路は、前記プリチャージ制御信号に応じて、前記現在のライン映像信号と前記１ライン前のライン映像信号を用いて映像信号補正を行うか、前記現在のライン映像信号のみを用いて映像信号補正を行うかを決定することを特徴とする。
【発明の効果】
【００１９】
本発明に係る有機ＥＬパネル用映像信号処理装置及び有機ＥＬパネルによれば、できる限り低コストで電流プログラム方式における充放電不足を映像信号処理によって補償する有機ＥＬパネル用映像信号処理装置及び有機ＥＬパネルを実現できる。本発明に係る有機ＥＬパネル用映像信号処理装置及び有機ＥＬパネルによれば、電流プログラム方式において限られた期間内に所望の電流をプログラムすることで、最適な階調での映像の視聴が可能である。
【発明を実施するための最良の形態】
【００２０】
以下、本発明に係る実施形態について図面を参照して説明する。なお、以下の各実施形態において、同様の構成要素については同一の符号を付している。
【００２１】
≪実施形態１≫
図１は、本発明の実施形態１に係る映像信号処理装置１の構成を示すブロック図である。図１において、映像信号処理装置１は、遅延回路３と、映像信号補正回路２とを備えて構成される。映像信号処理装置１は、電流プログラム方式有機ＥＬパネル４に接続されてそれを駆動する。なお、有機ＥＬパネル４は、映像信号処理装置１に含まれていてもよい。あるいは、映像信号処理装置１が有機ＥＬパネル４に含まれていてもよい。
【００２２】
遅延回路３は、現在のライン映像信号ＰＳＣを入力して、それよりも１ライン前の入力映像信号である１ライン前のライン映像信号ＰＳＣ−１を出力する。映像信号補正回路２は、現在のライン映像信号ＰＳＣと１ライン前のライン映像信号ＰＳＣ−１とを入力し、有機ＥＬパネル４の電流プログラム期間に寄生容量の充放電のために生じる過渡的なプログラム電流値の変化に応じた出力映像信号ＰＳＯＵＴを生成する。出力映像信号ＰＳＯＵＴは、映像信号処理装置１の出力端に接続された電流プログラム方式有機ＥＬパネル４に出力される。
【００２３】
図２は、有機ＥＬパネル４の構成を示すブロック図である。有機ＥＬパネル４は、プログラム用電流源５と、コンデンサ６と、電流プログラム回路７と、有機ＥＬ素子８とを備えて構成される。
【００２４】
プログラム用電流源５は、コンデンサ６の一端に接続され、ソース信号線に対して電流Ｉｓを与える。また、プログラム用電流源５は、図示しない電源電圧ラインに接続されている。コンデンサ６は、ソース信号線の寄生容量Ｃを示し、この寄生容量Ｃは、プログラム用電流源５とＶｓｓ２電位との間に存在する。電流プログラム回路７は、Ｖｄｄ電位、コンデンサ６の一端、及び、有機ＥＬ素子８の一端に接続され、走査期間中のプログラム電流Ｉｐを入力として走査期間の終了時点におけるプログラム電流Ｉｐに応じた駆動電流Ｉｄを走査期間中はもとより、走査期間以外においても保持出力する。有機ＥＬ素子８の一端は、電流プログラム回路７に接続され、その他端はＶｓｓ１電位に接続される。プログラム用電流源５によってソース信号に加えられるソース信号線に与えられる電流Ｉｓと、寄生容量Ｃを充放電する寄生容量充電電流Ｉｃと、プログラム電流Ｉｐとの間には、それぞれ図２の矢印の方向を正とした場合、以下の式（１）が成り立つ。
【００２５】
［数１］
Ｉｓ＝Ｉｐ＋ＩＣ  …（１）
【００２６】
以上のように構成された映像信号処理装置の動作について説明する。まず、遅延回路３は、現在のライン映像信号ＰＳＣを入力し、それよりも１ライン前の入力映像信号である１ライン前のライン映像信号ＰＳＣ−１を出力する。なお、遅延回路３の出力は電圧だけでなく電流でもよいことはいうまでもない。
【００２７】
映像信号補正回路２は、現在のライン映像信号ＰＳＣと、遅延回路３から出力された１ライン前のライン映像信号ＰＳＣ−１とを入力し、現在のライン映像信号ＰＳＣに対して、現在のライン映像信号ＰＳＣと１ライン前のライン映像信号ＰＳＣ−１と基づいて、有機ＥＬパネル４の電流プログラム期間に寄生容量の充放電のために生じる過渡的なプログラム電流値の変化に応じた映像信号補正を行って、出力映像信号ＰＳＯＵＴを生成して出力する。出力映像信号ＰＳＯＵＴは、電流プログラム方式有機ＥＬパネル４に入力される。これにより、図２のプログラム用電流源５から出力映像信号ＰＳＯＵＴに応じた電流Ｉｓがソース信号線に与えられる。
【００２８】
図３は、現在のライン映像信号ＰＳＣが暗信号から明信号へと変化する場合の、現在のライン映像信号ＰＳＣと、出力映像信号ＰＳＯＵＴと、プログラム電流Ｉｐとの関係を示す図である。
【００２９】
図３において、現在のラインである第Ｎラインにおける信号レベルＡ１を有する現在のライン映像信号ＰＳＣに相当する階調を表示するためには、電流プログラム期間の終了時点において信号レベルＡ１を有する現在のライン映像信号ＰＳＣに相当する階調を表示するために必要なプログラム電流値Ｉｐａ１を得る必要がある。電流プログラム開始時点のプログラム電流値Ｉｐｓ１に対してＩｐａ１が大きいので、ソース信号線に与えられる電流Ｉｓによって寄生容量Ｃを充電しつつ、プログラム電流値ＩｐはＩｐａ１へ収束する過程を経る。このとき電流プログラム期間に対して寄生容量Ｃを充電する時間が十分短い場合には、ソース信号線に与えられる電流Ｉｓの値を電流Ｉｐａ１と等しくすることにより電流プログラム期間以内にプログラム電流値ＩｐはＩｐａ１へ収束する。
【００３０】
しかしながら、電流プログラム期間に対して寄生容量Ｃの充電に要する時間が長い場合には、ソース信号線注入電流Ｉｓの値をＩｐａ１と等しくすると電流プログラム期間以内にプログラム電流値ＩｐはＩｐａ１へ収束できずにＩｐｓ１とＩｐａ１の間にある値Ｉｐｅ１となるために信号レベルＡ１を有する現在のライン映像信号ＰＳＣに相当する階調を表示することができない。電流プログラム期間以内にプログラム電流Ｉｐがソース信号線に与えられる電流Ｉｓへ収束できる最小ソース信号線注入電流ＩｓをＩｐｆ１とすると、信号レベルＡ１を有する現在のライン映像信号ＰＳＣに相当する階調を表示するために、信号レベルＡ１を有する現在のライン映像信号ＰＳＣを出力可能である条件はＩｐｆ１≦Ｉｐａ１である。Ｉｐｆ１は寄生容量Ｃと電流プログラム期間の長さと電流プログラム回路入力インピーダンスと電流プログラム開始時点のプログラム電流値Ｉｐｓ１の関数である。
【００３１】
本実施形態では、電流プログラム期間に対して寄生容量Ｃを充電する時間が長い場合、すなわちＩｐｆ１＞Ｉｐａ１である場合に、映像信号補正回路２は、信号レベルＡ１を有する現在のライン映像信号ＰＳＣより大きな電流Ｉｓを得ることができる信号レベルＢ１を有する出力映像信号ＰＳＯＵＴを生成する。この信号レベルＢ１を有する出力映像信号ＰＳＯＵＴに相当する電流Ｉｓの値をＩｐｂ１とする。信号レベルＢ１を有する出力映像信号ＰＳＯＵＴを有機ＥＬパネル４Ａへ入力することでソース信号線に与えられる電流Ｉｓの値がＩｐｂ１となる。第Ｎライン走査期間の電流プログラム期間の終了時点において、信号レベルＡ１を有する現在のライン映像信号ＰＳＣに相当する階調を表示するために必要なプログラム電流値Ｉｐａ１を得られるような信号レベルＢ１を有する出力映像信号ＰＳＯＵＴは、実験的に求めることでき、Ｉｐｆ１＞Ｉｐｂ１＞Ｉｐａ１の関係が成り立つ範囲に存在する。
【００３２】
例えば、電流プログラム期間が４０μ秒で、１ライン前のライン映像信号ＰＳＣ−１の信号レベルが「２」、かつ現在のライン映像信号ＰＳＣの信号レベルが「４」である時には、出力映像信号ＰＳＯＵＴの信号レベルを「６」として出力する。また、電流プログラム期間が２０μ秒で、１ライン前のライン映像信号ＰＳＣ−１の信号レベルが「２」、かつ現在のライン映像信号ＰＳＣの信号レベルが「４」の時には、出力映像信号ＰＳＯＵＴの信号レベルを「８」として出力する。このように、電流プログラム期間が短いほどより短時間で充放電を行うために現在のライン映像信号ＰＳＣの信号レベルと、出力映像信号ＰＳＯＵＴの信号レベルの差を大きく設定する必要がある。
【００３３】
なお、信号レベルＢ１を有する現在のライン映像信号ＰＳＣは、信号レベルＡ１を有する現在のライン映像信号ＰＳＣ及び寄生容量Ｃと、電流プログラム期間の長さと、電流プログラム回路入力インピーダンスと、電流プログラム開始時点のプログラム電流値Ｉｐｓ１との関数となる。任意の階調変化に対する寄生容量Ｃと、電流プログラム期間の長さと、電流プログラム回路入力インピーダンスとの影響の総和は、予め実験により関数化が可能であり、電流プログラム開始時点のプログラム電流値Ｉｐｓ１は、信号レベルＣ１を有する１ライン前のライン映像信号ＰＳＣ−１の関数である。従って、信号レベルＢ１を有する現在のライン映像信号ＰＳＣを映像信号補正回路２によって信号レベルＡ１を有する現在のライン映像信号ＰＳＣと信号レベルＣ１を有する１ライン前のライン映像信号ＰＳＣ−１から生成することは図１の構成により実現できる。
【００３４】
図４は、現在のライン映像信号ＰＳＣが明信号から暗信号へと変化する場合における、現在のライン映像信号ＰＳＣと、出力映像信号ＰＳＯＵＴと、プログラム電流Ｉｐとの関係を示す図である。
【００３５】
図４において、現在のラインである第Ｎラインにおける信号レベルＡ２を有する現在のライン映像信号ＰＳＣに相当する階調を表示するためには、電流プログラム期間の終了時点において信号レベルＡ２を有する現在のライン映像信号ＰＳＣに相当する階調を表示するために必要なプログラム電流値Ｉｐａ２を得る必要がある。電流プログラム開始時点のプログラム電流値Ｉｐｓ２に較べて電流Ｉｐａ２が小さいので、ソース信号線に与えられる電流Ｉｓとプログラム電流Ｉｐの和によって寄生容量Ｃを放電しつつ、プログラム電流値Ｉｐは電流Ｉｐａ２へ収束する過程を経る。このとき、電流プログラム期間に対して寄生容量Ｃを放電する時間が十分短い場合には、ソース信号線に与えられる電流Ｉｓの値をＩｐａ２と等しくすることにより電流プログラム期間以内にプログラム電流値Ｉｐは電流Ｉｐａ２へ収束する。
【００３６】
しかしながら、電流プログラム期間に対して寄生容量Ｃの放電に要する時間が長い場合には、ソース信号線注入電流Ｉｓの値を電流Ｉｐａ２と等しくすると電流プログラム期間以内にプログラム電流値Ｉｐは電流Ｉｐａ２へ収束できずに電流Ｉｐｓ２と電流Ｉｐａ２の間にある電流値Ｉｐｅ２となる。そのために信号レベルＡ２を有する現在のライン映像信号ＰＳＣに相当する階調を表示することができない。電流プログラム期間以内にプログラム電流Ｉｐがソース信号線注入電流Ｉｓへ収束できる最小ソース信号線注入電流ＩｓをＩｐｆ２とすると、信号レベルＡ２を有する現在のライン映像信号ＰＳＣに相当する階調を表示するためには、信号レベルＡ２を有する現在のライン映像信号ＰＳＣを出力可能である条件はＩｐｆ２≦Ｉｐａ２である。Ｉｐｆ２は、寄生容量Ｃと、電流プログラム期間の長さと、電流プログラム回路入力インピーダンスと、電流プログラム開始時点のプログラム電流値Ｉｐｓ２との関数である。
【００３７】
本実施形態では、電流プログラム期間に対して寄生容量Ｃを充放電する時間が長い場合、すなわちＩｐｆ２＞Ｉｐａ２である場合に、映像信号補正回路２は信号レベルＡ２を有する現在のライン映像信号ＰＳＣより小さな電流Ｉｓを得ることのできる信号レベルＢ２を有する出力映像信号ＰＳＯＵＴを生成する。この信号レベルＢ２を有する現在のライン映像信号ＰＳＣに相当する電流Ｉｓの値をＩｐｂ２とする。信号レベルＢ２を有する出力映像信号ＰＳＯＵＴを電流プログラム方式有機ＥＬパネルへ入力することで、ソース信号線に与えられる電流Ｉｓの値がＩｐｂ２となる。第Ｎライン走査期間の電流プログラム期間の終了時点において、信号レベルＡ２を有する現在のライン映像信号ＰＳＣに相当する階調を表示するために必要なプログラム電流値Ｉｐａ２を得られるような信号レベルＢ２を有する出力映像信号ＰＳＯＵＴは、実験的に求めることができ、Ｉｐｆ２＞Ｉｐａ２＞Ｉｐｂ２の関係が成り立つ範囲に存在する。
【００３８】
例えば、電流プログラム期間が４０μ秒で、１ライン前のライン映像信号ＰＳＣ―１の信号レベルが「８」、かつ現在のライン映像信号ＰＳＣの信号レベルが「４」のとき、出力映像信号ＰＳＯＵＴの信号レベルを「２」として出力する。また、電流プログラム期間が２０μ秒で、１ライン前のライン映像信号ＰＳＣ―１の信号レベルが「８」、現在のライン映像信号ＰＳＣの信号レベルが「４」のとき、出力映像信号ＰＳＯＵＴの信号レベルを「０」として出力する。
【００３９】
なお、信号レベルＢ２を有する現在のライン映像信号ＰＳＣは、信号レベルＡ２を有する現在のライン映像信号ＰＳＣ及び寄生容量Ｃと、電流プログラム期間の長さと、電流プログラム回路入力インピーダンスと、電流プログラム開始時点のプログラム電流値Ｉｐｓ２との関数となる。任意の階調変化に対する寄生容量Ｃと、電流プログラム期間の長さと、電流プログラム回路入力インピーダンスの影響の総和とは予め実験により関数化が可能であり、電流プログラム開始時点のプログラム電流値Ｉｐｓ２は、信号レベルＣ２を有する１ライン前のライン映像信号ＰＳＣ―１の関数である。従って、信号レベルＢ２を有する現在のライン映像信号ＰＳＣは、映像信号補正回路２によって信号レベルＡ２を有する現在のライン映像信号ＰＳＣと、信号レベルＣ２を有する１ライン前のライン映像信号ＰＳＣ―１から生成することは図１の構成により実現できる。
【００４０】
また、信号レベルＢ２を有する現在のライン映像信号ＰＳＣに相当する、ソース信号線に与えられる電流値Ｉｐｂ２は必ずしも０以上でなく、例えばプログラム電流値Ｉｐａ２が０の場合においてソース信号線に与えられる電流値Ｉｐｂ２は、負値を取る必要が生じる。すなわち寄生容量Ｃを短時間に放電するためにプログラム用電流源を使用して電荷を積極的に引き抜くことを意味する。
【００４１】
本実施形態の動作説明では、任意の階調を表示するために必要なプログラム電流Ｉｐの値が０以上であるとして説明したが、任意の階調を表示するために必要なプログラム電流Ｉｐの値が負である電流プログラム方式有機ＥＬパネルにおいては、図２にて定義される各電流Ｉｓ，Ｉｐ，Ｉｃの方向を反転することで同様の動作説明が可能である。
【００４２】
≪実施形態２≫
図５は、本発明の実施形態２に係る映像信号処理装置１Ａの構成を示すブロック図である。本発明の実施形態２における映像信号処理装置１Ａは、映像信号補正回路２に代えて映像信号補正回路２Ａを有する点、及び、プリチャージ制御信号発生回路１０をさらに備えた点において、図１に示した実施形態１に係る映像信号処理装置１と異なる。また、映像信号処理装置１Ａは、プリチャージ機能付き電流プログラム方式有機ＥＬパネル４Ａに接続されてそれを駆動する。なお、有機ＥＬパネル４Ａは、映像信号処理装置１Ａに含まれていてもよい。あるいは、映像信号処理装置１Ａが有機ＥＬパネル４Ａに含まれていてもよい。それ以外の点においては、図１に示した実施形態１に係る映像信号処理装置１と同様であり、同一符号を付した構成要素についての詳細な説明は省略する。
【００４３】
図５において、プリチャージ制御信号発生回路１０は、１ライン前のライン映像信号ＰＳＣ−１と現在のライン映像信号ＰＳＣとを入力し、有機ＥＬパネル４Ａにおいてプリチャージを行うか否かを示すプリチャージ制御信号ＰＣＳを生成して出力する。映像信号補正回路２Ａは、１ライン前のライン映像信号ＰＳＣ−１と現在のライン映像信号ＰＳＣとプリチャージ制御信号ＰＣＳとを入力し、現在のライン映像信号ＰＳＣに対して、１ライン前のライン映像信号ＰＳＣ−１とプリチャージ制御信号ＰＣＳとに基づいて、有機ＥＬパネル４Ａの電流プログラム期間に寄生容量の充放電のために生じる過渡的なプログラム電流値の変化に応じた出力映像信号ＰＳＯＵＴを生成する。プリチャージ制御信号ＰＣＳと出力映像信号ＰＳＯＵＴとは、映像信号補正回路２Ａの出力端に接続されたプリチャージ機能付き電流プログラム方式有機ＥＬパネル４Ａに出力される。
【００４４】
図６は、有機ＥＬパネル４Ａの構成を示すブロック図である。有機ＥＬパネル４Ａは、プログラム用電流源５、コンデンサ６、電流プログラム回路７、有機ＥＬ素子８、プリチャージ用電圧源１１、及びセレクタ１２を有する。有機ＥＬパネル４Ａは、プリチャージ用電圧源１１及びセレクタ１２を有する点において、図２に示した実施形態１の有機ＥＬパネル４と異なる。それ以外の点においては、図２に示した実施形態１の有機ＥＬパネル４と同様であり、同一符号を付した構成要素についての詳細な説明は省略する。
【００４５】
プリチャージ用電圧源１１は、ソース信号線に対して電圧を印加する、プリチャージ用のインピーダンスの低い電圧源である。また、プリチャージ用電圧源１１は、図示しない電源電圧ラインに接続されている。セレクタ１２は、有機ＥＬパネル４Ａに入力されたプリチャージ制御信号ＰＣＳがハイ、かつプリチャージ期間である場合に「１」側を選択し、それ以外の場合には「０」側を選択する。
【００４６】
プログラム用電流源５及びプリチャージ用電圧源１１によってソース信号線に与えられる電流Ｉｓと、コンデンサ６を充放電する寄生容量充電電流Ｉｃと、プログラム電流Ｉｐとの間には、それぞれ図６の矢印方向を正とした時に、前記式（１）が成り立つ。
【００４７】
以上のように構成された映像信号処理装置の動作について説明する。実施形態１において、信号レベルＢ２を有する現在のライン映像信号ＰＳＣに相当するソース信号線に与えられる電流値Ｉｐｂ２（図４参照）は必ずしも０以上でなく、例えばプログラム電流値Ｉｐａ２（図４参照）が０である場合はソース信号線に与えられる電流値Ｉｐｂ２（図４参照）は負値を取る必要が生じる。そのため、電荷を積極的に引き抜く機能がプログラム用電流源に必要となる。この場合、例えば、図１７に示す最適手法の分布図における領域Ｃのように、現在のライン映像信号の信号レベルが小さく、かつ１ライン前のライン映像信号の信号レベルが現在のライン映像信号の信号レベルよりも大きく、プログラム用電流源が一方向にしか電流を出力することができない場合には、実施形態１の構成では問題を解決できない。
【００４８】
例えば、電流プログラム期間が２０μ秒で、１ライン前のライン映像信号ＰＳＣ―１の信号レベルが「４」、現在のライン映像信号ＰＳＣの信号レベルが「０」のとき、出力映像信号ＰＳＯＵＴの信号レベルを「−２」として出力するべきであるが、「０」より小さい信号レベルに相当する電流Ｉｓを出力できないパネルでは問題を解決できない。一方、本実施形態に係る映像信号処理装置の構成によればプログラム用電流源５が一方向にしか電流を出力することができない電流プログラム方式有機ＥＬパネルの場合においても問題を解決できる。
【００４９】
まず、遅延回路３は、現在のライン映像信号ＰＳＣを入力し、それよりも１ライン前の入力映像信号である１ライン前のライン映像信号ＰＳＣ−１を出力する。プログラム制御信号発生回路１０は、現在のライン映像信号ＰＳＣと１ライン前のライン映像信号ＰＳＣ−１とを入力し、プリチャージ制御信号ＰＣＳを出力する。このプリチャージ制御信号ＰＣＳは、有機ＥＬパネル４Ａのプリチャージ機能をオン及びオフするための制御信号である。
【００５０】
本実施形態では説明を簡単にするために、プリチャージ制御信号ＰＣＳがロウレベルのとき、有機ＥＬパネル４Ａのプリチャージ機能はオフに制御され、プリチャージ制御信号ＰＣＳがハイレベルのとき、有機ＥＬパネル４Ａのプリチャージ機能はオンに制御されるものとする。しかし、本発明は、この構成に限らず、プリチャージ制御信号ＰＣＳがロウのとき、有機ＥＬパネル４Ａのプリチャージ機能がオンに制御され、プリチャージ制御信号ＰＣＳがハイのとき、有機ＥＬパネル４Ａのプリチャージ機能がオフに制御されるものとしてもよい。
【００５１】
映像信号補正回路２Ａは、現在のライン映像信号ＰＳＣと、１ライン前のライン映像信号ＰＳＣ−１と、プリチャージ制御信号発生回路１０から出力されたプリチャージ制御信号ＰＣＳとを入力し、プリチャージ制御信号ＰＣＳがロウのとき、現在のライン映像信号ＰＳＣと１ライン前のライン映像信号ＰＳＣ−１とを用いて電流プログラム期間に寄生容量の充放電のために生じる過渡的なプログラム電流値の変化に応じた出力映像信号ＰＳＯＵＴを生成する。また、映像信号補正回路２Ａは、プリチャージ制御信号ＰＣＳがハイのとき、現在のライン映像信号ＰＳＣのみを用いてプリチャージ後の電流プログラム期間に寄生容量の充放電のために生じる過渡的なプログラム電流値の変化に応じた出力映像信号ＰＳＯＵＴを生成する。
【００５２】
プリチャージ制御信号ＰＣＳと出力映像信号ＰＳＯＵＴとが有機ＥＬパネル４Ａへ入力されることで、プリチャージ制御信号ＰＣＳに応じて選択されたプリチャージ期間においてプリチャージ用電圧源１１から出力映像信号ＰＳＯＵＴに応じたプリチャージ電圧がソース信号線を充放電し、また、電流プログラム期間においてプログラム用電流源１１から出力映像信号ＰＳＯＵＴに応じた電流Ｉｓがソース信号線に与えられる。
【００５３】
なお、プリチャージ制御信号ＰＣＳがロウである場合については、図１乃至４を参照して説明した実施形態１の映像信号処理装置１の動作と同様であるので、重複した詳細な説明は省略する。プリチャージ制御信号ＰＣＳがハイである場合について、図７を参照して説明する。図７は、現在のライン映像信号ＰＳＣと、出力映像信号ＰＳＯＵＴと、プリチャージ制御信号ＰＣＳと、プログラム電流Ｉｐとの関係を示す図である。
【００５４】
図７において、電流プログラム期間の終了時点において信号レベルＡ３を有する現在のライン映像信号ＰＳＣに相当する階調を表示するために必要なプログラム電流値Ｉｐａ３を得るために、次の２つのシーケンスを実施する。
【００５５】
第１のシーケンスとして、第Ｎライン走査期間の電流プログラム期間に先んじてプリチャージ期間を設ける。このプリチャージ期間は、プリチャージ制御信号ＰＣＳがハイのとき一定期間存在し、セレクタ１２を介してソース信号線へプリチャージ用電圧源１１を接続することで、ソース信号線寄生容量Ｃを充放電する。
【００５６】
大きさの小さい電流値を用いてソース信号線寄生容量Ｃを充放電する場合の充放電に要する時間に比較して、インピーダンスの低い電圧源を用いてソース信号線寄生容量Ｃを充放電することにより、短時間で所定の電位Ｖｐｓ３に収束させることが可能となる。従って、プリチャージ期間の終了時点において電流プログラム回路７の入力部電位がＶｐｓ３であるときのプログラム電流値Ｉｐｐ３が得られる。電圧Ｖｐｓ３は、有機ＥＬパネル４Ａが表示可能である最小輝度階調を表示するために必要なプログラム電流値Ｉｐ０３以下のプログラム電流値を得ることができるように予め設定される。すなわち関係式Ｉｐ０３≧Ｉｐｐ３が成り立つ。このときＶｐｓ３は、ソース信号線寄生容量Ｃのプリチャージ用電圧源に接続された極板に対向する極板電位Ｖｓｓ２より必ずしも高い電位である必要はない。
【００５７】
第２のシーケンスとして、プリチャージにより得たプログラム電流値Ｉｐｐ３から電流プログラム期間の終了時点において信号レベルＡ３を有する現在のライン映像信号ＰＳＣに相当する階調を表示するために必要なプログラム電流値Ｉｐａ３へ到達するように、映像信号補正回路２Ａは、信号レベルＡ３を有する現在のライン映像信号ＰＳＣより大きな電流Ｉｓを得ることのできる信号レベルＢ３を有する出力映像信号ＰＳＯＵＴを生成する。この信号レベルＢ３を有する出力映像信号ＰＳＯＵＴに相当する電流Ｉｓの値をＩｐｂ３とする。信号レベルＢ３を有する出力映像信号ＰＳＯＵＴを有機ＥＬパネル４Ａへ入力することで、ソース信号線に与えられる電流Ｉｓの値がＩｐｂ３となる。第Ｎライン走査期間の電流プログラム期間の終了時点において、信号レベルＡ３を有する現在のライン映像信号ＰＳＣに相当する階調を表示するために必要なプログラム電流値Ｉｐａ３を得られるような信号レベルＢ３を有する出力映像信号ＰＳＯＵＴは、実験的に求めることができ、Ｉｐｂ３＞Ｉｐａ３の関係が成り立つ範囲に存在する。
【００５８】
例えば、電流プログラム期間が４０μ秒で、１ライン前のライン映像信号ＰＳＣ―１の信号レベルが「８」、かつ現在のライン映像信号ＰＳＣの信号レベルが「２」のとき、プリチャージ期間に信号レベル「０」相当へ充放電したうえで出力映像信号ＰＳＯＵＴの信号レベルを「４」として出力する。また、電流プログラム期間が２０μ秒で、１ライン前のライン映像信号ＰＳＣ―１の信号レベルが「８」、現在のライン映像信号ＰＳＣの信号レベルが「２」の時にはプリチャージ期間に信号レベル「０」相当へ充放電したうえで出力映像信号ＰＳＯＵＴの信号レベルを「６」として出力する。
【００５９】
なお、信号レベルＢ３を有する現在のライン映像信号ＰＳＣは、信号レベルＡ３を有する現在のライン映像信号ＰＳＣ及び寄生容量Ｃと、電流プログラム期間の長さと、電流プログラム回路入力インピーダンスと、電流プログラム開始時点のプログラム電流値Ｉｐｐ３との関数となる。プログラム電流値Ｉｐｐ３から任意の階調に相当するプログラム電流値への変化に対する寄生容量Ｃと、電流プログラム期間の長さと、電流プログラム回路入力インピーダンスの影響との総和は、予め実験により関数化が可能である。従って、信号レベルＢ３を有する現在のライン映像信号ＰＳＣを映像信号補正回路２Ａによって信号レベルＡ３を有する現在のライン映像信号ＰＳＣから生成することは図５の構成により実現できる。
【００６０】
本実施形態の動作説明では、任意の階調を表示するために必要なプログラム電流Ｉｐの値が０以上であるとして説明した。しかし、本発明はこれに限らず、適当な階調を表示するために必要なプログラム電流Ｉｐの値が負である有機ＥＬパネル４Ａにおいては、例えば、図８に示すように、０＞Ｉｐｐ３となる。
【００６１】
≪実施形態３≫
実施形態２に係る映像信号処理装置１Ａの有機ＥＬパネル４Ａの電流プログラム回路７の入力部電位Ｖｐｓ３から得られるプログラム電流値Ｉｐｐ３（図７参照）は、電流プログラム回路７を構成するトランジスタなどの電流−電圧特性ばらつきに起因して電流値が変動するために、高精度の階調制御が求められる場合には、十分にばらつきを抑えることが困難である。
【００６２】
本実施形態において映像信号処理装置１Ａは、実施形態２の有機ＥＬパネル４Ａに代えて有機ＥＬパネル４Ｂに接続されている。有機ＥＬパネル４Ｂは、映像信号処理装置１Ａに含まれていてもよい。あるいは、映像信号処理装置１Ａが有機ＥＬパネル４Ｂに含まれていてもよい。図９は、有機ＥＬパネル４Ｂの構成を示すブロック図である。図９において、有機ＥＬパネル４Ｂは、実施形態２の有機ＥＬパネル４Ａのプリチャージ用電圧源１１に代えてプリチャージ用電流源２１を有する点、及びセレクタ１２に代えてセレクタ２２を有する点において、実施形態２の有機ＥＬパネル４Ａと異なる。それ以外の点においては、実施形態２の映像信号処理装置１Ａに接続された有機ＥＬパネル４Ａと同様であり、同一符号を付した構成要素についての重複した詳細な説明は省略する。
【００６３】
プリチャージ用電流源２１は、ソース信号線に対してプログラム用電流源２１と逆方向に電流を加える。また、プリチャージ用電流源２１は、図示しない電源電圧ラインに接続されている。セレクタ２２は、プリチャージ制御信号ＰＣＳがハイ、かつプリチャージ期間である場合に「１」側を選択し、それ以外の場合には「０」側を選択する。電流源を使用する場合には、電流プログラム回路７を介した電圧電流変換過程をなくすことができるので、電流−電圧特性ばらつきの影響を受けず、階調制御性能の見地から電圧源を使用する場合に比較して、安定して階調制御できる。
【００６４】
以上のように構成された映像信号補正装置の動作について説明する。プリチャージ制御信号ＰＣＳと出力映像信号ＰＳＯＵＴとが有機ＥＬパネル４Ｂへ入力されることで、プリチャージ制御信号ＰＣＳに応じて選択されたプリチャージ期間において図９のプリチャージ用電流源２１から出力映像信号ＰＳＯＵＴに応じたプリチャージ電流がソース信号線を充放電し、また、電流プログラム期間においてプログラム用電流源２１から出力映像信号ＰＳＯＵＴに応じた電流Ｉｓが出力される。
【００６５】
プリチャージ制御信号ＰＣＳがロウの場合については、図１乃至４を参照して説明した実施形態１の映像信号処理装置１の動作と同様であるので、重複した詳細な説明は省略する。プリチャージ制御信号ＰＣＳがハイの場合について、図１０を参照して説明する。図１０は、現在のライン映像信号ＰＳＣと、出力映像信号ＰＳＯＵＴと、プリチャージ制御信号ＰＣＳと、プログラム電流Ｉｐとの関係を示す図である。
【００６６】
図１０において、電流プログラム期間の終了時点において信号レベルＡ３を有する現在のライン映像信号ＰＳＣに相当する階調を表示するために必要なプログラム電流値Ｉｐａ３を得るために、次の２つのシーケンスを実施する。
【００６７】
第１のシーケンスとして、第Ｎライン走査期間の電流プログラム期間に先んじてプリチャージ期間を設ける。このプリチャージ期間は、プリチャージ制御信号ＰＣＳがハイの場合にのみ一定の期間存在し、セレクタ２２を介してソース信号線へプリチャージ用電流源２１を接続することで、ソース信号線寄生容量Ｃを充放電する。
【００６８】
大きさの小さい電流値を用いてソース信号線寄生容量Ｃを充放電する場合の充放電に要する時間に比較して、プログラム用電流源５と反対方向に大きな電流値を加えるプリチャージ電流源２１を用いてソース信号線寄生容量Ｃを充放電することにより、短時間で所定のプログラム電流値に収束させることが可能となる。プリチャージ期間の終了時点において得られるプログラム電流値をＩｐｐｃ３とおく。プログラム電流値Ｉｐｐｃ３は有機ＥＬパネル４Ｂが表示可能である最小輝度階調を表示するために必要なプログラム電流値Ｉｐ０３以下のプログラム電流値であるように予め設定される。すなわち関係式Ｉｐ０３≧Ｉｐｐｃ３が成り立つ。
【００６９】
第２のシーケンスとして、プリチャージにより得たプログラム電流値Ｉｐｐｃ３から電流プログラム期間の終了時点において信号レベルＡ３を有する現在のライン映像信号ＰＳＣに相当する階調を表示するために必要なプログラム電流値Ｉｐａ３へ到達するように、映像信号補正回路２Ａは信号レベルＡ３を有する現在のライン映像信号ＰＳＣより大きな電流Ｉｓを得ることのできる信号レベルＢ３’を有する出力映像信号ＰＳＯＵＴを生成する。この信号レベルＢ３’を有する出力映像信号ＰＳＯＵＴに相当する電流Ｉｓの値をＩｐｂ３’とおく。信号レベルＢ３’を有する出力映像信号ＰＳＯＵＴを有機ＥＬパネル４Ｂへ入力することでソース信号線に与えられる電流Ｉｓの値がＩｐｂ３’となる。第Ｎライン走査期間の電流プログラム期間の終了時点において、信号レベルＡ３を有する現在のライン映像信号ＰＳＣに相当する階調を表示するために必要なプログラム電流値Ｉｐａ３を得られるような信号レベルＢ３’を有する出力映像信号ＰＳＯＵＴは、実験的に求めることができ、Ｉｐｂ３’＞Ｉｐａ３の関係が成り立つ範囲に存在する。
【００７０】
例えば、電流プログラム期間が４０μ秒で、１ライン前のライン映像信号ＰＳＣ―１の信号レベルが「８」、現在のライン映像信号ＰＳＣの信号レベルが「２」のとき、プリチャージ期間に信号レベル「０」相当へ充放電したうえで出力映像信号ＰＳＯＵＴの信号レベルを「４」として出力する。また、電流プログラム期間が２０μ秒で、１ライン前のライン映像信号ＰＳＣ―１の信号レベルが「８」、現在のライン映像信号ＰＳＣの信号レベルが「２」のとき、プリチャージ期間に信号レベル「０」相当へ充放電したうえで出力映像信号ＰＳＯＵＴの信号レベルを「６」として出力する。
【００７１】
なお、信号レベルＢ３’を有する出力映像信号ＰＳＯＵＴは、信号レベルＡ３を有する現在のライン映像信号ＰＳＣ及び寄生容量Ｃと電流プログラム期間の長さと、電流プログラム回路入力インピーダンスと、電流プログラム開始時点とのプログラム電流値Ｉｐｐｃ３の関数となる。プログラム電流値Ｉｐｐｃ３から任意の階調に相当するプログラム電流値への変化に対する寄生容量Ｃと、電流プログラム期間の長さと、電流プログラム回路入力インピーダンスとの影響の総和は予め実験により関数化が可能であるので、信号レベルＢ３’を有する出力映像信号ＰＳＯＵＴを映像信号補正回路２Ａによって現在のライン信号レベルＡ３を有する現在のライン映像信号ＰＳＣから生成することは図５の構成により実現できる。
【００７２】
本実施形態の動作説明では、任意の階調を表示するために必要なプログラム電流Ｉｐの値が０以上であるとして説明した。しかし、本発明はこれに限らず、適当な階調を表示するために必要なプログラム電流Ｉｐの値が負である有機ＥＬパネル４Ｂにおいては、例えば、図１１に示すように、０＞Ｉｐｐｃ３となる。
【００７３】
≪実施形態４≫
本実施形態に係る映像信号処理装置１Ａは、実施形態３の有機ＥＬパネル４Ｂに代えて有機ＥＬパネル４Ｃに接続されている。有機ＥＬパネル４Ｃは、映像信号処理装置１Ａに含まれていてもよい。あるいは、映像信号処理装置１Ａが有機ＥＬパネル４Ｃに含まれていてもよい。図１２は、有機ＥＬパネル４Ｃの構成を示すブロック図である。図１２において、有機ＥＬパネル４Ｃは、図９に示した実施形態３の有機ＥＬパネル４Ｂのプリチャージ用電流源２１、プログラム用電流源５及びセレクタ２２に代えてプリチャージ・プログラム兼用電流源ユニット３１を有する点において、図９に示した実施形態３の有機ＥＬパネル４Ｂと異なる。それ以外の点においては、実施形態３の映像信号処理装置１Ａに接続された有機ＥＬパネル４Ｂと同様であり、同一符号を付した構成要素についての重複した詳細な説明は省略する。なお、プリチャージ・プログラム兼用電流源ユニット３１は、図示しない電源電圧ラインに接続されている。
【００７４】
図１２に示す有機ＥＬパネル４Ｃの構成では、プログラム用電流源とプリチャージ用電流源を兼用する１つのプリチャージ・プログラム兼用電流源ユニット３１を使用する。プリチャージ・プログラム兼用電流源ユニット３１は、実施形態３のプログラム用電流源５及びプリチャージ用電流源２１とセレクタ２２の機能を備える。本実施形態に係る映像信号処理装置１Ａは、この構成により、複数の電流源を使用する実施形態３よりもコストを低減しながら、実施形態３と同等の効果を発揮する。
【００７５】
≪実施形態５≫
図１３は、本発明の実施形態５に係る映像信号処理装置１Ｂの構成を示すブロック図である。本発明の実施形態５における映像信号処理装置１Ｂは、映像信号補正回路２に代えて映像信号補正回路２Ｂを有する点、及び、表示期間第１ライン判別回路４０をさらに備えた点において、図１に示した実施形態１に係る映像信号処理装置１と異なる。なお、有機ＥＬパネル４は、映像信号処理装置１Ｂに含まれていてもよい。あるいは、映像信号処理装置１Ｂが有機ＥＬパネル４に含まれていてもよい。それ以外の点においては、図１に示した実施形態１に係る映像信号処理装置１と同様であり、同一符号を付した構成要素についての詳細な説明は省略する。
【００７６】
図１３において、表示期間第１ライン判別回路４０は、水平垂直同期信号ＳＳを入力し、その水平垂直同期信号ＳＳから現在のライン映像信号ＰＳＣが毎フレームで始めに表示される第１ラインであるか否かを判別し、判別結果を示す表示期間第１ライン判別信号ＤＳを出力する。映像信号補正回路２Ｂは、１ライン前のライン映像信号ＰＳＣ−１と、現在のライン映像信号ＰＳＣと、表示期間第１ライン判別信号ＤＳとを入力し、現在のライン映像信号ＰＳＣに対して、１ライン前のライン映像信号ＰＳＣ−１と表示期間第１ライン判別信号ＤＳとに基づいて、有機ＥＬパネル４の電流プログラム期間に寄生容量の充放電のために生じる過渡的なプログラム電流値の変化に応じた出力映像信号ＰＳＯＵＴを生成する。出力映像信号ＰＳＯＵＴは、映像信号処理装置１Ｂと接続された有機ＥＬパネル４に入力される。なお、有機ＥＬパネル４の構成は、実施形態１において図２を参照して説明したので、重複する詳細な説明は省略する。
【００７７】
以上のように構成された映像信号補正装置について、以下その動作について説明する。遅延回路３は、現在のライン映像信号ＰＳＣを入力して、それよりも１ライン前の入力映像信号である１ライン前のライン映像信号ＰＳＣ−１を出力する。表示期間第１ライン判別回路４０は、水平垂直同期信号ＳＳを入力して表示期間第１ライン判別信号ＤＳを出力する。この表示期間第１ライン判別信号ＤＳは、現在のラインが毎フレームで始めに表示される第１ラインであるか否かを示す信号である。本実施形態では説明を簡単にするため、表示期間第１ライン判別信号ＤＳがロウレベルのとき現在のラインが第１ラインでないことを示し、表示期間第１ライン判別信号ＤＳがハイレベルのとき現在のラインが毎フレームで始めに表示される第１ラインであることを示す。しかし、本発明はこれに限らず、ロウレベル及びハイレベルを逆に設定してもよいことは言うまでもない。
【００７８】
現在のライン映像信号ＰＳＣと、１ライン前のライン映像信号ＰＳＣ−１と、表示期間第１ライン判別回路４０から出力された表示期間第１ライン判別信号ＤＳとは、映像信号補正回路２Ｂに入力される。映像信号補正回路２Ｂにおいて、表示期間第１ライン判別信号ＤＳがロウのとき、１ライン前のライン映像信号ＰＳＣ−１と現在のライン映像信号ＰＳＣとを用いて電流プログラム期間に寄生容量の充放電のために生じる過渡的なプログラム電流値の変化に応じた出力映像信号ＰＳＯＵＴを生成して出力する。表示期間第１ライン判別信号ＤＳがハイのとき、現在のライン映像信号ＰＳＣのみを用いて電流プログラム期間に寄生容量の充放電のために生じる過渡的なプログラム電流値の変化に応じた出力映像信号ＰＳＯＵＴを生成して出力する。出力映像信号ＰＳＯＵＴは、有機ＥＬパネル４へ入力される。これにより、図２に示す有機ＥＬパネル４内のプログラム用電流源５から出力映像信号ＰＳＯＵＴに応じた電流Ｉｓが出力される。
【００７９】
実施形態１において、電流プログラム開始時点のプログラム電流値Ｉｐｓ１は、信号レベルＣ１を有する１ライン前のライン映像信号ＰＳＣ―１の関数であることを利用すれば、映像信号補正回路２によって、信号レベルＡ１を有する現在のライン映像信号ＰＳＣと、信号レベルＣ１を有する１ライン前のライン映像信号ＰＳＣ―１とから信号レベルＢ１を有する現在のライン映像信号ＰＳＣを生成可能であることを説明した。しかしながら、有機ＥＬパネルによっては、非表示期間と表示期間とで異なる処理を行っているために、例えば、第１ラインの１ライン前のライン映像信号ＰＳＣ−１に応じた電流Ｉｓを出力しないため、第１ラインの電流プログラム開始時点のプログラム電流値は非表示期間である１ライン前のライン映像信号ＰＳＣ−１の関数でないことがある。
【００８０】
図１３に示した本実施形態に係る映像信号処理装置１Ｂの構成によれば、第１ラインの電流プログラム開始時点のプログラム電流値が非表示期間である１ライン前のライン映像信号ＰＳＣ−１の関数でない場合で、特に、電流プログラム開始時点のプログラム電流値Ｉｐｓ１が非表示期間中にある一定の電流値に収束する電流プログラム方式有機ＥＬパネルであった場合、現在のラインが第１ラインであるときに処理によって出力映像信号ＰＳＯＵＴを生成することができるので、第１ラインにおいても現在のライン映像信号ＰＳＣを用いて電流プログラム期間に寄生容量の充放電のために生じる過渡的なプログラム電流値の変化に応じた出力映像信号ＰＳＯＵＴを生成することができる。
【００８１】
例えば、非表示期間に信号レベル「０」相当に充放電するパネルの第１ラインには、電流プログラム期間が４０μ秒で、現在のライン映像信号ＰＳＣの信号レベルが「２」のとき、出力映像信号ＰＳＯＵＴの信号レベルを「４」として出力する。また、電流プログラム期間が２０μ秒で、現在のライン映像信号ＰＳＣの信号レベルが「４」のとき、出力映像信号ＰＳＯＵＴの信号レベルを「６」として出力する。
【００８２】
第１ラインが現在のラインであるときの出力映像信号ＰＳＯＵＴは、寄生容量Ｃと、電流プログラム期間の長さと、電流プログラム回路入力インピーダンスと、第１ラインの電流プログラム開始時点のプログラム電流値と、第１ラインの現在のライン映像信号ＰＳＣとの関数である。寄生容量Ｃと、電流プログラム期間の長さと、電流プログラム回路入力インピーダンスと、第１ラインの電流プログラム開始時点のプログラム電流値との影響の総和は、予め実験により関数化が可能であり、第１ラインが現在のラインであるときにおいても出力映像信号ＰＳＯＵＴを映像信号補正回路２Ｂによって現在のライン映像信号ＰＳＣと１ライン前のライン映像信号ＰＳＣ−１と表示期間第１ライン判別信号ＤＳとから生成することは図１３の構成により実現できる。
【００８３】
≪実施形態６≫
図１４を参照して、実施形態６の映像信号処理装置１Ｃについて説明する。図１４において、映像信号処理装置１Ｃは、映像信号補正回路２Ｂに代えて、映像信号補正回路２Ｃを有する点において図１３に示した実施形態５の映像信号処理装置１Ｂと異なる。それ以外の点においては、図１３に示した実施形態５の映像信号処理装置１Ｂと同様であり、同一符号を付した構成要素についての重複した詳細な説明は省略する。
【００８４】
映像信号補正回路２Ｃは、テーブル変換回路５０と、テーブル変換回路５１と、セレクタ５２とを備えて構成される。テーブル変換回路５０は、現在のライン映像信号ＰＳＣのみを用いて出力信号を生成して出力する。テーブル変換回路５１は、現在のライン映像信号ＰＳＣと１ライン前のライン映像信号ＰＳＣ−１とを用いて出力信号を生成して出力する。セレクタ５２は、表示期間第１ライン判別信号ＤＳが現在のラインが第１ラインであることを示すとき（表示期間第１ライン判別信号ＤＳがハイレベル）、テーブル変換回路５０の出力信号を選択して出力映像信号ＰＳＯＵＴとして出力し、表示期間第１ライン判別信号ＤＳが現在のラインが第１ラインでないことを示すとき（表示期間第１ライン判別信号ＤＳがロウレベル）、テーブル変換回路５１の出力を選択して出力映像信号ＰＳＯＵＴとして出力する。テーブル変換回路５０及び５１の関数は、それぞれ実施形態１及び２のようにして予め実験により得ることがで、それぞれ独立に決定される。
【００８５】
≪実施形態７≫
図１５を参照して、実施形態７の映像信号処理装置１Ｄについて説明する。図１５において、映像信号処理装置１Ｄは、プリチャージ制御信号発生回路１０Ａをさらに備え、図１３に示した実施形態５における映像信号補正回路２Ｂに代えて映像信号補正回路２Ｄを有する点において、図１３に示した実施形態５の映像信号処理装置１Ｂと異なる。また、映像信号処理装置１Ｄは、プリチャージ機能付き電流プログラム方式有機ＥＬパネル４Ａに接続されてそれを駆動する。なお、有機ＥＬパネル４Ａは、映像信号処理装置１Ｄに含まれていてもよい。それ以外の点においては、図１３に示した実施形態５の映像信号処理装置１Ｂと同様であり、同一符号を付した構成要素についての重複した詳細な説明は省略する。
【００８６】
図１５において、プリチャージ制御信号発生回路１０Ａは、１ライン前のライン映像信号ＰＳＣ−１と現在のライン映像信号ＰＳＣと表示期間第１ライン判別信号ＤＳとを入力し、有機ＥＬパネル４Ａにおいてプリチャージを行うか否かを示すプリチャージ制御信号ＰＣＳを生成して出力する。プリチャージ制御信号発生回路１０Ａは、表示期間第１ライン判別信号ＤＳが現在のラインが第１ラインでことを示す（表示期間第１ライン判別信号ＤＳがハイレベルである）ときには、常に、有機ＥＬパネル４Ａにおいてプリチャージが行われるようなプリチャージ制御信号ＰＣＳを生成して出力する。
【００８７】
本実施形態では説明を簡単にするために、プリチャージ制御信号ＰＣＳがロウレベルのとき、有機ＥＬパネル４Ａのプリチャージ機能はオフに制御され、プリチャージ制御信号ＰＣＳがハイレベルのとき、有機ＥＬパネル４Ａのプリチャージ機能はオンに制御されるものとする。しかし、本発明は、この構成に限らず、プリチャージ制御信号ＰＣＳがロウのとき、有機ＥＬパネル４Ａのプリチャージ機能がオンに制御され、プリチャージ制御信号ＰＣＳがハイのとき、有機ＥＬパネル４Ａのプリチャージ機能がオフに制御されるものとしてもよい。
【００８８】
映像信号補正回路２Ｄは、１ライン前のライン映像信号ＰＳＣ−１と現在のライン映像信号ＰＳＣとプリチャージ制御信号ＰＣＳとを入力し、現在のライン映像信号ＰＳＣに対して、１ライン前のライン映像信号ＰＳＣ−１とプリチャージ制御信号ＰＣＳとに基づいて、有機ＥＬパネル４Ａの電流プログラム期間に寄生容量の充放電のために生じる過渡的なプログラム電流値の変化に応じた出力映像信号ＰＳＯＵＴを生成する。プリチャージ制御信号ＰＣＳと出力映像信号ＰＳＯＵＴとは、映像信号補正回路２Ｄと接続された有機ＥＬパネル４Ａに入力される。なお、有機ＥＬパネル４Ａの構成は、実施形態２において図６を参照して説明したので、重複する詳細な説明は省略する。
【００８９】
実施形態５において、第１ラインの電流プログラム開始時点のプログラム電流値が非表示期間である１ライン前のライン映像信号ＰＳＣ−１の関数でない場合で、特に電流プログラム開始時点のプログラム電流値Ｉｐｓ１が非表示期間中にある一定の電流値に収束しない有機ＥＬパネルであった場合には、電流プログラム期間の開始時点におけるプログラム電流値が一定でないために、実施形態５の構成では現在のラインが第１ラインであるときに電流プログラム期間の終了時点において現在のライン映像信号ＰＳＣに相当する階調を表示するために必要なプログラム電流値を得ることができない。
【００９０】
図１５に示した本実施形態に係る映像信号処理装置１Ｄの構成によれば、現在のラインが第１ラインであるときには必ずプリチャージ制御信号ＰＣＳをハイに設定して、有機ＥＬパネル４Ａにプリチャージを行わせることによって、第１ライン走査期間開始時点のプログラム電流Ｉｐに関係なく、第１ラインの電流プログラム期間開始時点のプログラム電流Ｉｐをプリチャージによって決定される一定値にすることが可能である。
【００９１】
例えば、第１ラインには、電流プログラム期間が４０μ秒で、現在のライン映像信号ＰＳＣの信号レベルが「２」のとき、プリチャージ期間に信号レベル「０」相当へ充放電したうえで出力映像信号ＰＳＯＵＴの信号レベルを「４」として出力する。また、電流プログラム期間が２０μ秒で、現在のライン映像信号ＰＳＣの信号レベルが「２」のとき、プリチャージ期間に信号レベル「０」相当へ充放電したうえで出力映像信号ＰＳＯＵＴの信号レベルを「６」として出力する。
【００９２】
なお、プリチャージ制御信号ＰＣＳがロウである場合については、図１乃至図４を参照して説明した実施形態１の映像信号処理装置１の動作と同様であるので、重複した詳細な説明は省略する。また、プリチャージ制御信号ＰＣＳがハイである場合については、図７を用いて既に詳細を説明した実施形態２の映像信号処理装置１Ｂと同様であるので、重複した詳細な説明は省略する。従って、プリチャージ後の電流プログラム期間においても、実施形態１と同様の方法で現在のライン映像信号ＰＳＣに相当する階調を表示できる。
【００９３】
なお、本実施形態において、実質的には実施形態２の構成に表示期間第１ライン判別回路４０を追加した構成について説明した。しかし、本発明はこの構成に限らず、実施形態３又は４の構成に表示期間第１ライン判別回路４０を追加する構成としてもよい。
【００９４】
≪実施形態８≫
図１６を参照して、実施形態８の映像信号処理装置１Ｅについて説明する。図１４において、映像信号処理装置１Ｅは、映像信号補正回路２Ｄに代えて、映像信号補正回路２Ｅを有する点において図１５に示した実施形態７の映像信号処理装置１Ｄと異なる。それ以外の点においては、図１５に示した実施形態７の映像信号処理装置１Ｄと同様であり、同一符号を付した構成要素についての重複した詳細な説明は省略する。
【００９５】
映像信号補正回路２Ｅは、テーブル変換回路７０と、テーブル変換回路７１と、セレクタ７２とを備えて構成される。テーブル変換回路７０は、現在のライン映像信号ＰＳＣのみを用いて出力信号を生成して出力する。テーブル変換回路７１は、現在のライン映像信号ＰＳＣと１ライン前のライン映像信号ＰＳＣ−１とを用いて出力信号を生成して出力する。セレクタ７２は、プリチャージ制御信号ＰＣＳが有機ＥＬパネル４Ａのプリチャージ機能をオンに制御することを示すとき（プリチャージ制御信号ＰＣＳがハイレベル）、テーブル変換回路７０の出力信号を選択して出力映像信号ＰＳＯＵＴとして出力し、プリチャージ制御信号ＰＣＳが有機ＥＬパネル４Ａのプリチャージ機能をオフに制御することを示すとき（プリチャージ制御信号ＰＣＳがロウレベル）、テーブル変換回路７１の出力を選択して出力映像信号ＰＳＯＵＴとして出力する。テーブル変換回路７０及び７１の関数は、それぞれ実施形態１及び２のようにして予め実験により得ることがで、それぞれ独立に決定される。
【００９６】
以上説明したように、本発明の各実施形態に係る有機ＥＬパネル用映像信号処理装置及び有機ＥＬパネルによれば、できる限り低コストで電流プログラム方式における充放電不足を映像信号処理によって補償する有機ＥＬパネル用映像信号処理装置及び有機ＥＬパネルを実現できる。
【産業上の利用可能性】
【００９７】
本発明は、例えば、有機ＥＬパネルを利用した有機ＥＬディスプレイ等に利用できる。
【図面の簡単な説明】
【００９８】
【図１】本発明の実施形態１に係る映像信号処理装置１の構成を示すブロック図である。
【図２】本発明の実施形態１に係る有機ＥＬパネル４の構成を示すブロック図である。
【図３】本発明の実施形態１に係る現在のライン映像信号ＰＳＣと出力映像信号ＰＳＯＵＴとプログラム電流Ｉｐとの関係を示す図である。
【図４】本発明の実施形態１に係る現在のライン映像信号ＰＳＣと出力映像信号ＰＳＯＵＴとプログラム電流Ｉｐとの関係を示す図である。
【図５】本発明の実施形態２に係る映像信号処理装置１Ａの構成を示すブロック図である。
【図６】本発明の実施形態２に係る有機ＥＬパネル４Ａの構成を示すブロック図である。
【図７】本発明の実施形態２に係る現在のライン映像信号ＰＳＣと出力映像信号ＰＳＯＵＴとプリチャージ制御信号ＰＣＳとプログラム電流Ｉｐとの関係を示す図である。
【図８】本発明の実施形態２に係る現在のライン映像信号ＰＳＣと出力映像信号ＰＳＯＵＴとプリチャージ制御信号ＰＣＳとプログラム電流Ｉｐとの関係を示す図である。
【図９】本発明の実施形態３に係る有機ＥＬパネル４Ｂの構成を示すブロック図である。
【図１０】本発明の実施形態３に係る現在のライン映像信号ＰＳＣと出力映像信号ＰＳＯＵＴとプリチャージ制御信号ＰＣＳとプログラム電流Ｉｐとの関係を示す図である。
【図１１】本発明の実施形態３に係る現在のライン映像信号ＰＳＣと出力映像信号ＰＳＯＵＴとプリチャージ制御信号ＰＣＳとプログラム電流Ｉｐとの関係を示す図である。
【図１２】本発明の実施形態４に係る有機ＥＬパネル４Ｃの構成を示すブロック図である。
【図１３】本発明の実施形態５に係る映像信号処理装置１Ｂの構成を示すブロック図である。
【図１４】本発明の実施形態６に係る映像信号処理装置１Ｃの構成を示すブロック図である。
【図１５】本発明の実施形態７に係る映像信号処理装置１Ｄの構成を示すブロック図である。
【図１６】本発明の実施形態８に係る映像信号処理装置１Ｅの構成を示すブロック図である。
【図１７】本発明の各実施形態に係る最適手法の一例を示す分布図である。
【符号の説明】
【００９９】
１，１Ａ，１Ｂ，１Ｃ，１Ｄ，１Ｅ…映像信号処理装置、
２，２Ａ，２Ｂ，２Ｃ，２Ｄ，２Ｅ…映像信号補正回路、
３…遅延回路、
４，４Ａ，４Ｂ，４Ｃ…有機ＥＬパネル、
５…プログラム用電流源、
６…コンデンサ、
７…電流プログラム回路、
８…有機ＥＬ素子、
１０，１０Ａ…プリチャージ制御信号発生回路、
１１…プリチャージ用電圧源、
２１…プリチャージ用電流源、
２２…セレクタ、
３１…プリチャージ・プログラム兼用電流源ユニット、
４０…表示期間第１ライン判別回路、
５０，５１，７０，７１…テーブル変換回路、
５２，７２…セレクタ、
ＰＳＣ…現在のライン映像信号、
ＰＳＣ−１…１ライン前のライン映像信号、
ＰＳＯＵＴ…出力映像信号、
ＰＣＳ…プリチャージ制御信号、
ＤＳ…表示期間第１ライン判別信号、
ＳＳ…水平垂直同期信号。
【図１】
2007219342.tif 000003
【図２】
2007219342.tif 000004
【図３】
2007219342.tif 000005
【図４】
2007219342.tif 000006
【図５】
2007219342.tif 000007
【図６】
2007219342.tif 000008
【図７】
2007219342.tif 000009
【図８】
2007219342.tif 000010
【図９】
2007219342.tif 000011
【図１０】
2007219342.tif 000012
【図１１】
2007219342.tif 000013
【図１２】
2007219342.tif 000014
【図１３】
2007219342.tif 000015
【図１４】
2007219342.tif 000016
【図１５】
2007219342.tif 000017
【図１６】
2007219342.tif 000018
【図１７】
2007219342.tif 000019